(57)【特許請求の範囲】
【請求項１】
本体内容器と本体外容器とバルブ部材で構成され形成した本体容器で、形状自在の前記本体内容器を同形で容積大の前記本体外容器内に入れ両容器とを上部周縁で熱圧着、前記バルブ部材を嵌合し設けた簡易洗面器と簡易容器であって、前記簡易洗面器と簡易容器は、形状自在の前記本体内容器の底周辺縁に側壁を設け、前記側壁の上部周辺縁に更に縁を設け、同形で容積大を備える前記本体外容器の底周辺縁に側壁を設け、前記側壁の上部周辺縁に更に縁を設け、前記側壁縁の下方に間を置いて上部に円形開口部を設け、前記本体内容器を前記本体外容器内に収納し、前記両容器の側壁上部縁を熱圧着し一体化させ、前記本体内容器と前記本体外容器間に空気層を設けた本体容器を設け、前記バルブ部材は合成樹脂でなり円形の外周全体に凹側溝を設け、前記凹側溝と嵌合させる取付補強部材を設け、前記バルブの円形中心に開口部を設け、前記開口部には凹螺旋ネジ部を設け、前記凹螺旋ネジ部奥の一方の端に開閉弁を備え空気の挿入密開閉を行いうるように設け、前記凹螺旋ネジ部他方より係合する凸螺旋ネジを設け、前記凸螺旋ネジの中央に空気が流通する穴を設け、一方端外周縁にパイプを離脱しないように接続するスリット部先端に突起部を設け、前記本体外容器に設けた円形開口部に前記バルブ部材の前記凹側溝に設けた前記取付補強部材を嵌合させ設け、前記パイプに接続した前記凸螺旋ネジを前記凹螺旋ネジと同径で設け係合したことで、前記一体化した本体容器に設けた空気層にパイプを介して空気を挿入することにより形成されることを特徴とする簡易洗面器と簡易容器。
【発明の詳細な説明】
【技術分野】
【０００１】
本発明は、簡易洗面器に関し、より詳しくは、軽量で形状容積は自在で速やかに簡易洗面器を形成できる登山者や病人用で簡易洗面器に関する。
【背景技術】
【０００２】
従来、洗面器に於いて、洗面器における洗面ポールの周縁部に市販の押圧式ポットのようなポンプ式ポットを給湯・水源としてセットできるポット設置部を少なくとも一つ設け、これらにポットをセットした時に、その注ぎ口が洗面ポールの上方に位置する構成とすることにより、そのポットの例えば上部を押すことで容易に洗面ポール内に湯水を溜めうるようにする病人等に用いるものはあった。（特許文献１参照）
【０００３】
従来、洗面器に於いて、洗面器からの排水を溜める汚水貯槽を具備し、この汚水貯槽の上面側に、洗面器を着脱自在にセットしうる段差および立ち上がり部からなる受け部を形成するとともに、この受け部にセットされた洗面器からの排水を同貯槽内に流入させる流入口とを設け、さらにその汚水貯槽の下方にはこれを支持する車輪を備えた汚水の排水処理が容易なものはあった。（特許文献２参照）
【０００４】
従来、洗面器に於いて、洗面容器の下方に取り付けた散気ノゾルから空気を噴出する美顔器において、送風機構がエアポンプと磁化器とオゾン発生器とから成り、エアポンプにより送られる空気が、磁化器とオゾン発生器を通過して洗面容器の散気ノズルから噴出するのもで、きめ細かで健康な肌を維持しりとともに化粧のりを良好にする効果のあるものはあった。（特許文献３参照）
【０００５】
従来、洗面器に於いて、洗面器は熱硬化性不飽和ポリエステル樹脂を用いた大理石模様のＦＲＰ形成品は、美麗な洗面容器である。しかし、該にこのＦＲＰ形成品は有機溶剤や揮発性の樹脂を使用すること、また作業が煩雑で作業環境に良くないので熱可塑性字樹脂を使用した組成物を開発したものはあった。（特許文献４参照）
【０００６】
従来、洗面器に於いて、浴室内の壁面の蛇口と洗い場床面との間に設けたカウンタ本体の中央部を開放し、その上端開口部にカバー板の着脱可能として装着したことにより、カバー板の装着時には、通常の浴室用品や洗面容器等の載置台として使用でき、またカバー板を取外すことにより、上下寸法の大きな容器を開放部内に挿入して小物等の手洗いなどを行なうことが出来るもで上下寸法が大小異なる容器でも蛇口の下方に位置させて有効に使うことが出来るものはあった。（特許文献５参照）
【０００７】
従来、洗面器に於いて、磁気がもたらすクラスターの小さい水高浸透性を具備せしめて、水の至便性を高めるもので、洗浄効果を良くするものはあった。（特許文献６参照）
【先行技術文献】
【特許文献】
【０００８】
【特許文献１】特開平８−１３１３５４号公報
【特許文献２】特開平８−１３１３５１号公報
【特許文献３】登録実用新案第３００４７０４号公報
【特許文献４】特開２０００−１９１７９４号公報
【特許文献５】特開２００１−４６２６４号公報
【特許文献６】特開２００２−３５７６０号公報
【発明の概要】
【発明が解決しようとする課題】
【０００９】
上記特許文献１より特許文献６に於いて、洗面器に関し、簡易に洗面器に水を注ぐ器具の開発や洗面器から排水を同貯槽内に流入させる流水口を設け、さらに貯水槽の下方にはこれを支持する車輪を備えた汚水の排水処理が容易なもの、磁化器とオゾン発生器を通過して洗面容器の散気ノズルから噴出するのもで、きめ細かで健康な肌を維持しりとともに化粧のりを良好にする効果のあるもの、ＦＲＰ形成品は有機溶剤や揮発性の樹脂を使用すること、また作業が煩雑で作業環境に良くないので熱可塑性字樹脂を使用した組成物を開発したもの、浴室内の壁面の蛇口と洗い場床面との間に設けたカウンタ本体の中央部を開放し、その上端開口部にカバー板の着脱可能として装着したことにより、カバー板の装着時には、通常の浴室用品や洗面容器等の載置台として使用できるもの、磁気がもたらすクラスターの小さい水高浸透性を具備せしめて、水の至便性を高めるもので、洗浄効果を良くするものはあった。しかし、本発明が意図する発明や考案は如何なる検索をしても見当たらない。依って簡易洗面器を本課題とする。
【００１０】
本発明は、上記のような従来の問題点や欠点を改善して、幕営縦走登山は全ての持ち物を軽量化して歩行し、３０００ｍ級の山の稜線を縦走したり、２０００ｍ級の連山を縦走している時に一番必要不可欠なものは飲用水である。次に炊飯の水、更に歯磨や洗顔、洗体、洗濯の水が必要である。そこで、一滴の水も無駄にしないために登山用簡易洗面器が不可欠であるが、簡易洗面器と簡易容器は、現在まで考案さえされていなかった。又、病人用に於いても、発明、考案されていない。例えば、病人は洗顔が出来ることにより、自力が溢出すると言われ健康回復に貢献出来る。従って、塩化ビニール樹脂、ポリエチレン等超軽量で薄く形状容積は自在に形成できるように設けることで、衛生面に於いても社会に貢献できる登山者及び病人用に簡易洗面器と簡易容器を提供するものである。
【課題を解決するための手段】
【００１１】本発明は、本体内容器と本体外容器とバルブ部材で構成され形成した本体容器で、形状自在の前記本体内容器を同形で容積大の前記本体外容器内に入れ両容器とを上部周縁で熱圧着、前記バルブ部材を嵌合し設けた簡易洗面器と簡易容器であって、前記簡易洗面器と簡易容器は、形状自在の前記本体内容器の底周辺縁に側壁を設け、前記側壁の上部周辺縁に更に縁を設け、同形で容積大を備える前記本体外容器の底周辺縁に側壁を設け、前記側壁の上部周辺縁に更に縁を設け、前記側壁縁の下方に間を置いて上部に円形開口部を設け、前記本体内容器を前記本体外容器内に収納し、前記両容器の側壁上部縁を熱圧着し一体化させ、前記本体内容器と前記本体外容器間に空気層を設けた本体容器を設け、前記バルブ部材は合成樹脂でなり円形の外周全体に凹側溝を設け、前記凹側溝と嵌合させる取付補強部材を設け、前記バルブの円形中心に開口部を設け、前記開口部には凹螺旋ネジ部を設け、前記凹螺旋ネジ部奥の一方の端に開閉弁を備え空気の挿入密開閉を行いうるように設け、前記凹螺旋ネジ部他方より係合する凸螺旋ネジを設け、前記凸螺旋ネジの中央に空気が流通する穴を設け、一方端外周縁にパイプを離脱しないように接続するスリット部先端に突起部を設け、前記本体外容器に設けた円形開口部に前記バルブ部材の前記凹側溝に設けた前記取付補強部材を嵌合させ設け、前記パイプに接続した前記凸螺旋ネジを前記凹螺旋ネジと同径で設け係合したことで、前記一体化した本体容器に設けた空気層にパイプを介して空気を挿入することにより形成される簡易洗面器と簡易容器。
【発明の効果】
【００１２】
本発明の簡易洗面器と簡易容器は、従来の洗面器と容器とは異なり、柔軟で一体化した本体容器にパイプを介いして空気を挿入して形成されるので、超軽量で薄く形状容積は自在の簡易洗面器と簡易容器を登山者は勿論病人、アウトドア常連者他社会の人々に愛され社会に貢献できる簡易洗面器と簡易容器。
【図面の簡単な説明】
【００１３】
【図１】本発明の実施例となる簡易洗面容器と簡易容器の構造側面図
【図２】本発明の実施例となる部材のバルブの拡大断面図、図２−aと部材凸螺旋ネジとパイプの拡大断面図、図２−b
【図３】本発明の実施例となる取付補強部材の拡大平面図
【発明を実施するための形態】
【００１４】
以下、本発明の実施の形態を実施例となる図１〜図３の参照に基づいて説明する。
【００１５】図１は、本発明の実施例となる簡易洗面器と簡易容器の構造側面図を示し、形状自在の前記本体内容器１の底５周辺縁に側壁６を設け、前記側壁６の上部周辺縁に更に縁４を設け、同形で容積大を備える前記本体外容器２の底７周辺縁に側壁８を設け、前記側壁８の上部周辺縁に更に縁４を設け、前記側壁縁８の下方に間を置いて上部に円形開口部９を設け、前記本体内容器１を前記本体外容器２内に収納し、前記両容器１，２の側壁上部縁を熱圧着し一体化させ、前記本体内容器１と前記本体外容器２間に空気層を設けた本体容器１０を設け、前記本体容器１０の円形開口部９に部材の開閉バルブ１１を接着係合させ、更に部材の開閉バルブに設けたスリット部１３にパイプ１２係合させ設けると良い
【００１６】
図２は、本発明の実施例となる部材のバルブ１１の拡大断面図、図２ーaと部材凸螺旋ネジ１９とパイプ１２の拡大断面図、図２ーbを示し、
図２ーaは、前記部材のバブル１１は合成樹脂でなり円形の外周全体に凹側溝１５を設け、前記凹側溝１５と嵌合させる取付補強部材１４を設け、前記本体外容器２の円形開口部９に嵌合させ設け、前記バルブ１１の円形中心に開口部１６を設け、前記開口部１６には凹螺旋ネジ部１７を設け、前記凹螺旋ネジ部１７奥の一方の端に開閉弁１８を備え空気の挿入密開閉を行いうるように設けると良い。
図２ーbは、前記凹螺旋ネジ部１７他方より係合する凸螺旋ネジ１９を設け、前記凸螺旋ネジ１９の中央に空気が流通する穴を設け、一方端外周縁にパイプ１２を離脱しないように接続するスリット部１３先端に突起部２０を設けると良い。尚、前記凹螺旋ネジぶ１７と凸螺旋ネジ１９の径は同径で設けると良い。
【００１７】
図３は、本発明の実施例となる取付補強部材１４の拡大平面図、取付補強部材１４の平面図であり、内径は凹側溝１７と同径で前記本体内容器１０に補強シールとして用いると良い。
【符号の説明】
【００１８】
１    本体内容器
２    本体外容器
３    縁部a
４    縁部b
５    底a
６    側壁a
７    底b
８    側壁b
９    円形開口部
１０  本体容器
１１  開閉バルブ
１２  パイプ
１３  スリット部
１４  取付補強部材
１５  凹側溝
１６  開口部
１７  凹螺旋ネジ部
１８  開閉弁
１９  凸螺旋ネジ
２０  突起部
【要約】      （修正有）【課題】軽量で形状や容積は自在で速やかに洗面器と容器を形成できる登山者や病人用の簡易洗面器と簡易容器を提供する。【解決手段】本体外容器２に設けた円形開口部に取付補強部材を嵌合させパイプ１２に接続し、開口部に凹螺旋ネジを設け、パイプ１２に接続した凸螺旋ネジを凹螺旋ネジと同径で設け係合したことで一体化し、本体外容器２と本体内容器１の間に設けた空気層に空気をパイプ１２を介して挿入することにより形成される簡易洗面器と簡易容器。【選択図】図１【図１】
0004737651.tif 000002
【図２】
0004737651.tif 000003
【図３】
0004737651.tif 000004